(57)【要約】【課題】  リビングダイニング、キッチン、個室が連続した一連の居住空間の中央に移動壁を配置することによって、それらの空間を一連として連続させると共に、仕切りを形成して独立空間を形成し、多様なアレンジを可能とする。【解決手段】  平面視略方形状の居住空間１の一方側に配置されたキッチン２及び個室３と、そのキッチン２及び個室３に接して居住空間１の他方側に配置されたリビングダイニング４と、そのキッチン２及び個室３側と、リビングダイニング４側との境界を移動する移動壁１３を有した間仕切り構造であって、移動壁１３を移動させることによって、個室３の間仕切りを行ない、または、個室３を開放してリビングダイニング４との連続空間を形成する。【選択図】        図１
2005105589.tif 000002
【特許請求の範囲】
【請求項１】
平面視略方形状の居住空間の一方側に配置されたキッチン及び個室と、そのキッチン及び個室に接して居住空間の他方側に配置されたリビングダイニングと、
そのキッチン及び個室側と、リビングダイニング側との境界を移動する移動壁を有した間仕切り構造であって、
移動壁を移動させることによって、個室の間仕切りを行ない、または、個室を開放してリビングダイニングとの連続空間を形成することを特徴とする間仕切り構造。
【請求項２】
前記移動壁を床から天井までの高さを有する２枚の壁によって構成し、その２枚の壁をスライドさせることにより、２枚の壁を重ねた狭い壁と、２枚の壁を横に並べた広い壁を形成可能とし、
それら２枚の壁を重ねてキッチン側または境界の中央付近あるいは個室側のいずれかに寄せたレイアウトを可能とし、あるいは、移動壁を２枚並べてキッチン側の間仕り壁または個室側の間仕切り壁として使用可能としたことを特徴とする請求項１記載の間仕切り構造。
【請求項３】
前記移動壁の２枚の壁を同一幅とし、キッチンと個室のそれぞれリビングダイニングとの連通空間を少なくとも移動壁の幅の１．５倍の広さとしたことを特徴とする請求項２記載の間仕切り構造。
【請求項４】
前記境界の中央部分のキッチン側に冷蔵庫の設置スペース配置し、また、境界線の中央部分の個室側に収納を配置したことを特徴とする請求項３記載の間仕切り構造。
【請求項５】
前記個室及びリビングダイニングに面する部分に一連のバルコニーを配置し、採光を確保したことを特徴とする請求項１〜４いずれか記載の間仕切り構造。
【発明の詳細な説明】
【技術分野】
【０００１】
本発明は住宅の間仕切り構造に関するものである。
【背景技術】
【０００２】
一般的に住宅はキッチン、リビングルーム、寝室、個室等を備え、それらの空間のレイアウトに際しては、リビングダイニング、居間等は明るい採光の得られる場所に配置し、
キッチン、洗面所、浴室等の水回りはそれらの後方に配置される場合が多い。
そして、それぞれの空間は間仕切り壁によって仕切られており、レイアウトの変更に際しては、間仕切り壁が造り付けつけている場合には工事が必要となる。そのため、レイアウトの変更に多大な費用がかかることになる。
ところで、住宅のレイアウトを任意に変更するために、間仕切り壁を移動可能とした住宅に関する技術として特開２０００−１４５１７１号公報記載の技術が知られている。
【特許文献１】特開２０００−１４５１７１号公報
【発明の開示】
【発明が解決しようとする課題】
【０００３】
しかしながら、居住者の生活様式の変化や、年齢層に応じて、また、家族構成の変化に対応してレイアウトを変更することは非常に困難であり、特に、住宅の水回り空間は居間や寝室などの空間とは分離して設計がなされることが多く、マンション等の集合住宅においては、居住空間が狭く限られ、レイアウトの変更が困難という問題がある。
また、特開２０００−１４５１７１号公報記載の技術では、可動間仕切り壁を移動させて住宅のレイアウトを変更する技術が記載されているが、空間の仕切りと開放を一連の可動壁によって同時に実現する可動間仕切りについては記載がない。
本発明は上述した問題点を解決するためになされたものであって、その目的とするところは、リビングダイニング、キッチン、個室が連続した一連の居住空間の中央に移動壁を配置することによって、それらの空間を一連として連続させると共に、仕切りを形成して独立空間を形成し、多様なアレンジを可能とする間仕切り構造を提供することにある。
【課題を解決するための手段】
【０００４】
前記目的を達成するための手段として、本発明請求項１記載の間仕切り構造では、平面視略方形状の居住空間の一方側に配置されたキッチン及び個室と、そのキッチン及び個室に接して居住空間の他方側に配置されたリビングダイニングと、そのキッチン及び個室側と、リビングダイニング側との境界を移動する移動壁を有した間仕切り構造であって、移動壁を移動させることによって、個室の間仕切りを行ない、または、個室を開放してリビングダイニングとの連続空間を形成する構成とした。
【０００５】
請求項２記載の間仕切り構造では、請求項１記載の間仕切り構造において、前記移動壁を床から天井までの高さを有する２枚の壁によって構成し、その２枚の壁をスライドさせることにより、２枚の壁を重ねた狭い壁と、２枚の壁を横に並べた広い壁を形成可能とし、それら２枚の壁を重ねてキッチン側または境界の中央付近あるいは個室側のいずれかに寄せたレイアウトを可能とし、あるいは、移動壁を２枚並べてキッチン側の間仕り壁または個室側の間仕切り壁として使用可能とした。
【０００６】
請求項３記載の間仕切り構造では、請求項２記載の間仕切り構造において、前記移動壁の２枚の壁を同一幅とし、キッチンと個室のそれぞれリビングダイニングとの連通空間を少なくとも移動壁の幅の１．５倍の広さとした。
【０００７】
請求項４記載の間仕切り構造では、請求項３記載の間仕切り構造において、前記境界の中央部分のキッチン側に冷蔵庫の設置スペース配置し、また、境界線の中央部分の個室側に収納を配置した。
【０００８】
請求項５記載の間仕切り構造では、請求項１〜４いずれか記載の間仕切り構造において、前記個室及びリビングダイニングに面する部分に一連のバルコニーを配置し、採光を確保した。
【発明の効果】
【０００９】
請求項１記載の間仕切り構造においては、キッチン及び個室側と、リビングダイニング側との境界を移動する移動壁を配置したので、移動壁を移動させて個室を仕切ることによって、リビングダイニングとは仕切られた独立の個室を形成することができる。また、移動壁を移動させて個室を開放することによって、リビングダイニングと個室が一体となった広い連続空間を形成することができる。
【００１０】
請求項２記載の間仕切り構造においては、移動壁を床から天井までの高さを有する２枚の壁によって構成したので、その２枚の壁をスライドさせることにより、２枚の壁を重ねた狭い壁と、２枚の壁を横に並べた広い壁を形成可能となる。そのため、２枚の壁を重ねてキッチン側または境界の中央付近あるいは個室側のいずれかに寄せたレイアウト、あるいは、移動壁を２枚並べてキッチン側の間仕り壁または個室側の間仕切り壁としたレイアウト等の多様なレイアウトが可能となる。
【００１１】
請求項３記載の間仕切り構造においては、移動壁の２枚の壁を同一幅とし、キッチン及び個室とリビングダイニングとの連通空間を少なくとも移動壁の１．５倍としたので、移動壁を２枚重ねてキッチン側あるいは個室側の一方に寄せた場合には少なくとも通過空間が確保される。
【００１２】
請求項４記載の間仕切り構造においては、境界の中央部分のキッチン側に冷蔵庫の設置スペース配置し、また、境界線の中央部分の個室側に収納を配置したので、それらのスペース幅を利用して移動壁を中央に配置して、キッチン、個室の両方を開放することができる。
【００１３】
請求項５記載の間仕切り構造においては、個室及びリビングダイニングに面する部分に一連のバルコニーを配置したので、バルコニーに面した窓を通して、リビングダイニングと個室の両方の採光を確保することができる。
【発明を実施するための最良の形態】
【００１４】
以下、図面に基づいて本発明の間仕切り構造を実現する最良の形態を説明する。
【実施例１】
【００１５】
以下、図面に基づいて本発明の間仕切り構造を説明する。
図１は移動壁を中央に配置した状態を示す平面図、図２は移動壁を中央に配置した状態の斜視図、図３は移動壁を個室側に配置した状態を示す平面図、図４は移動壁を個室側に配置した状態の斜視図、図５は移動壁をキッチン側に配置した状態を示す平面図、図６は移動壁をキッチン側に配置した状態の斜視図である。
【００１６】
本発明の間仕切り構造は図１〜図６に示すように、住宅に適用する間仕切り構造であり、本実施例ではマンション等の集合住宅に適用した例を示している。尚、本発明は集合住宅に限定されるものではなく、戸建て住宅にも適用可能である。
本実施例の住宅Ａでは、中央部分に略方形状の居住空間１が配置され、その居住空間１の一角にキッチン２が配置され、そのキッチン２の南に個室３が隣接し、キッチン２と個室３の東にはリビングダイニング４が連続している。
また、住宅Ａの北側の一角に玄関５が位置し、その玄関５正面に玄関ホール６が接続され、その玄関ホール６後方にはトイレ７が配置され、そのトイレ７の奥には洗面所８、浴室９が配置され、さらにその奥にはベットルーム１０が隣接している。
また、玄関５の西にはベットルーム１１が隣接し、そのベットルーム１１へはリビングダイニング４を通過して行き来でき、そのベットルーム１１の外側は北に面したバルコニー１２となっている。
【００１７】
リビングダイニング４は住宅Ａの中心部分に位置し、リビングダイニング４を通過して玄関ホール６、ベットルーム１０，１１、キッチン２、個室３に通過できるようになっている。
前記リビングダイニング４、キッチン２、個室３は平面視略方形状の居住空間１内に一連の連続空間として配置されている。そして、キッチン２、個室３は居住空間１の西側に配置され、そのキッチン２及び個室３に接して居住空間１の東側にはリビングダイニング４が配置されている。
そのため、リビングダイニング４側とキッチン２、個室３側とは一連の空間を略２分するように配置され、その境界を移動壁１３が走行するようになっている。
また、キッチン２と個室３の間は据え付けの壁によって仕切られ、その壁にはキッチン側に冷蔵庫スペース１４、個室側には収納スペース１５が形成されている。
キッチン２とリビングダイニング４の間はカウンター１６と通路１７が配置され、カウンター１６越しに空間が連続している。
【００１８】
キッチン２及び個室３側と、リビングダイニング４側との境界上には移動壁１３の走行部が形成され、その走行部を走行して移動壁１３が居住空間１の略中央を２分して端から端へ走行するようになっている。
前記走行部は床面に並行して配置された２本の凹状レールと、天井に形成された溝とを有して構成され、天井の溝にガイドされて、壁の下のローラがレールを走行し、移動する構成となっている。
尚、壁の移動機構については、一般的に使用されている任意の構造を採用できる。
前記移動壁１３は床から天井までの高さを有し、厚さ数ｃｍ、幅約２ｍの大きさを有し、同一形状の壁２枚によって構成されている。
【００１９】
キッチン２、個室３側とリビングダイニング４側との境界線は約７ｍの長さを有し、その約７ｍ幅を２枚の壁が移動するようになっている。
これら２枚の壁により、２枚の壁同士を重ねた状態の狭い２ｍ幅の壁と、２枚の壁同士を並べた状態の広い４ｍ幅の壁が形成できる。
そして、移動壁１３を２枚重ねてキッチン２側または中央付近あるいは個室３側のいずれかに寄せたレイアウト、移動壁１３を２枚並べてキッチン２側の間仕切り壁、または個室３側の間仕切り壁として使用するレイアウトが可能となる。
移動壁１３をキッチン２側と個室３側に走行させることによって、個室３の間仕切りと、個室３とリビングダイニング４との一体化が可能となる。
【００２０】
また、本実施例では、キッチン２とリビングダイニング４は３ｍの開口部分によって連通している。移動壁を図５，６に示すように端部に寄せた場合にはカウンター１６部分は閉塞されるが、通路１７は閉塞されずに確保されるようになっている。
また、個室３とリビングダイニング４も３ｍの開口部分によって連通している。移動壁を重ねて端部に寄せた場合には、１ｍ幅の通路が確保されるようになっている。
このように、キッチン２及び個室３とリビングダイニング４との連通空間は移動壁１３の幅の１．５倍の長さとなっている。
また、境界の中央部分のキッチン側に冷蔵庫スペース１４が配置され、境界線の中央部分の個室３側に収納スペース１５が配置され、それらのスペース幅を利用して移動壁１３を中央に配置して、キッチン、個室の両側を開放することができるようになっている(図１、図２参照）。
また、個室３及びリビングダイニング４の南面には一連のバルコニー１８が配置され、一面のバルコニーによって個室３とリビングダイニング４両方の採光が確保されている。
【００２１】
本実施例では、子供の成長や家族の生活スタイルの変化、ライフステージに合わせて、住空間をフィットさせるために、ＬＤＫというこれまでの概念を取り払った間取りが構成され、移動壁１３によって柔軟発想の設備・仕様が可能となっている。
また、キッチン２、個室３と、リビングダイニング４の境に設けた移動壁１３によって、オープンにした開放的な間取りにしたり、キッチン２を独立型にしたり。個室３をひとつ増やすもの自在となる。このような、脱・ＬＤＫ発想の動く壁が構成されている。
【００２２】
図１では、リビングダイニング４からキッチン２までオープンにすることで、いつも家族に目が届く住空間に。小さい子供がいるファミリーにも安心できる間取りとなっている。
広さの中に家族の気配を感じるオープンスタイルの空間が形成され、夫婦二人の暮らしや子供がまだ小さいうちは。リビングまわりをオープンにしたスタイルで。広さを楽しみながら、家族の気配を感じる空間が形成できる。
置き畳等を配置することより、小さい子供にもやさしいジャパニーズスタイルとなる。
【００２３】
図３では、調理しながらでも家族との一体感が生まれるオープンキッチンが形成され、対面式のキッチンで家族の会話もはずむ。
家族の時間、プライベート、みんなが快適に憩う住まいが形成される。
個室３がひとつ増え、南向きの明るい個室３は、子供の勉強部屋に、書斎に最適となる。
【００２４】
図５では、キッチン２を移動壁１３で仕切り、より使い勝手のいい独立型となっている。バルコニーに通じる扉付きで採光、清潔感も確保できる。
リビングダイニング４と個室３を一続きにして、さらにゆとりの住空間にアレンジされる。お客さまを招いてのホームパーティなど自由なスペースが広がる。
リビングダイニングと一体感のある書斎、客間として、書斎や家事スペースとしても最適な個室３が形成されている。
【００２５】
以上、本発明の実施例を説明したが、具体的な構成は前記実施例に限定されるものではなく、発明の要旨を逸脱しない範囲の設計変更等があっても本発明に含まれる。
例えば、図７に示すように、リビングダイニング２０側と、キッチン２１、和室２２側を３枚の移動壁２３で仕切り、１間半の開口を確保するために、キッチンカウンター２４前を移動させて、コンロ２５前の壁に３枚の移動壁２３を重ねる構成であっても本発明に含まれる。
【図面の簡単な説明】
【００２６】
【図１】移動壁を中央に配置した状態を示す平面図である。
【図２】移動壁を中央に配置した状態の斜視図である。
【図３】移動壁を個室側に配置した状態を示す平面図である。
【図４】移動壁を個室側に配置した状態の斜視図である。
【図５】移動壁をキッチン側に配置した状態を示す平面図である。
【図６】移動壁をキッチン側に配置した状態の斜視図である。
【図７】他の例に係る移動壁を備えた住宅の平面図である。
【符号の説明】
【００２７】
Ａ  住宅
１  居住空間
２  キッチン
３  個室
４  リビングダイニング
５  玄関
６  玄関ホール
７  トイレ
８  洗面所
９  浴室
１０  ベッドルーム
１１  ベッドルーム
１２  バルコニー
１３  移動壁
１４  冷蔵庫スペース
１５  収納スペース
１６  カウンター
１７  通路
１８  バルコニー
２０  リビングダイニング
２１  キッチン
２２  和室
２３  移動壁
２４  カウンター
２５  コンロ
【図１】
2005105589.tif 000003
【図２】
2005105589.tif 000004
【図３】
2005105589.tif 000005
【図４】
2005105589.tif 000006
【図５】
2005105589.tif 000007
【図６】
2005105589.tif 000008
【図７】
2005105589.tif 000009